(57)【特許請求の範囲】
【請求項１】
トラフに振動を与えて、該トラフ上に載置された被搬送体を該トラフに沿って搬送するリニアフィーダであって、
床面上に固定されるベースと、
該ベースの上方に配設された可動フレームと、
該可動フレームの上方に配設された固定フレームと、
前記可動フレームと前記固定フレームとを連結する駆動バネと、
前記可動フレームと前記固定フレームとの間で振動を発生させる振動体と、
前記トラフと前記可動フレームとを連結し、前記トラフを前記固定フレームの上方に配設させる連結部材と、
前記トラフ、前記可動フレームまたは前記固定フレームを前記ベースに対して支持する防振バネと、
前記連結部材を、被連結部である前記可動フレームまたは前記トラフに対し、前記被搬送体の搬送方向と略平行な面内で回動可能とし、任意の位置で固定することが可能な角度調整手段とを備えることを特徴としたリニアフィーダ。
【請求項２】
請求項１に記載のリニアフィーダにおいて、
前記角度調整手段は、前記被連結部に対して前記連結部材を回動可能に支持する第一の軸体と、
前記連結部材または前記被連結部に設けられ、前記第一の軸体を中心とする円弧状に形成された少なくとも一つの第一の長孔と、
該第一の長孔に挿通されて、前記連結部材と前記被連結部とを固定、解除自在な第一の固定部材とを有することを特徴とするリニアフィーダ。
【請求項３】
請求項１または請求項２に記載のリニアフィーダにおいて、
前記防振バネは、前記ベースに対して前記固定フレームまたは前記可動フレームを支持しており、
前記角度調整手段は、前記可動フレームに対して前記連結部材を回動させることが可能であるとともに、
前記ベースは、床面上に固定されるベース本体と、前記防振バネが固定された支持部と、前記ベース本体に対して前記支持部を、前記角度調整手段の回動中心と略平行な軸回りに回動させて任意の位置で固定することが可能なベース調整手段とを有することを特徴とするリニアフィーダ。
【請求項４】
請求項３に記載のリニアフィーダにおいて、
前記ベースの前記ベース調整手段は、前記ベース本体に対して前記支持部を回動可能に支持する第二の軸体と、
前記ベース本体または前記支持部に設けられ、前記第二の軸体を中心とする円弧状に形成された少なくとも一つの第二の長孔と、
該第二の長孔に挿通されて、前記前記ベース本体と前記支持部とを固定、解除自在な第二の固定部材とを有することを特徴とするリニアフィーダ。
【請求項５】
請求項１または請求項２に記載のリニアフィーダにおいて、
前記防振バネは、前記ベースに対して前記トラフを支持しており、
前記角度調整手段は、前記トラフに対して前記連結部材を回動させることが可能であることを特徴とするリニアフィーダ。
【発明の詳細な説明】
【技術分野】
【０００１】
本発明は、振動を利用して部品等を搬送するリニアフィーダに関する。
【背景技術】
【０００２】
従来から、例えば電気部品、樹脂部品、食品、調味料、薬など種々の物品を搬送する機構として、振動を利用して搬送するリニアフィーダが知られている（例えば、特許文献１、２参照）。このようなリニアフィーダは、より具体的には、搬送方向に延びて被搬送体が載置されるトラフと、トラフの下方において、該トラフと連結した可動フレーム及び可動フレームと上下方向に配設された固定フレームと、トラフに対して傾斜して配設され、可動フレームと固定フレームとを連結する駆動バネと、可動フレームと固定フレームとの間に設けられた圧電素子や電磁石を利用した振動体とを備えている。そして、振動体を起振すると、可動フレームと固定フレームとは相対的に振動し、この振動はトラフに伝達されることとなり、これによりトラフ上に載置された被搬送体が搬送されることとなる。
【０００３】
ここで、伝達されるトラフの振動の方向は、可動フレームと固定フレームとを連結する駆動バネのトラフに対する傾斜角、すなわち振動角によって決定され、振動角が大きいと、トラフ上における搬送方向成分に対して垂直方向成分が大きい振動となる。このため、トラフ上の被搬送体の搬送速度は、被搬送体の形状、重量に依存するとともに、駆動バネの振動角にも依存する。すなわち、被搬送体を効率的に搬送するためには、被搬送体の形状、重量に応じて、駆動バネの振動角を最適な角度にする必要がある。このため、従来のリニアフィーダでは、駆動バネと、可動フレームまたは固定フレームとの間にクサビ状のスペーサを介挿させて互いを固定することで、被搬送体の種類に応じて好適な振動角となるように調整していた。
【特許文献１】特開２００６−２７３５２９号公報
【特許文献２】特開２００６−２４８７２７号公報
【発明の開示】
【発明が解決しようとする課題】
【０００４】
しかしながら、特許文献１、２のリニアフィーダによれば、振動角を調整するには、駆動バネと、可動フレームまたは固定フレームとを固定するボルト等の固定手段を取り外した後に、上記スペーサを介挿させる必要があり、調整に工数が掛かってしまう問題があった。また、様々な被搬送体を効率的に搬送するためには、対応した振動角に調整可能に、様々な角度を有するスペーサを用意する必要があり、コスト上の問題があった。さらに、多数のスペーサを用意したとしても、スペーサの種類に応じた離散的な調整しかできず、連続的に細かく振動角を調整して、各被搬送体と対応する最適搬送条件を決定するまでには至らなかった。
【０００５】
この発明は、上述した事情に鑑みてなされたものであって、振動角を容易かつ連続的に調整することが可能なリニアフィーダを提供するものである。
【課題を解決するための手段】
【０００６】
上記課題を解決するために、この発明は以下の手段を提案している。
本発明は、トラフに振動を与えて、該トラフ上に載置された被搬送体を該トラフに沿って搬送するリニアフィーダであって、床面上に固定されるベースと、該ベースの上方に配設された可動フレームと、該可動フレームの上方に配設された固定フレームと、前記可動フレームと前記固定フレームとを連結する駆動バネと、前記可動フレームと前記固定フレームとの間で振動を発生させる振動体と、前記トラフと前記可動フレームとを連結し、前記トラフを前記固定フレームの上方に配設させる連結部材と、前記トラフ、前記可動フレームまたは前記固定フレームを前記ベースに対して支持する防振バネと、前記連結部材を、被連結部である前記可動フレームまたは前記トラフに対して、前記被搬送体の搬送方向と略平行な面内で回動可能とし、任意の位置で固定することが可能な角度調整手段とを備えることを特徴としている。
【０００７】
この発明に係るリニアフィーダによれば、角度調整手段によって被連結部であるトラフまたは可動フレームに対して連結部材を回動させることで、トラフに対して可動フレームを相対的に回動させることができる。このため、トラフに対して可動フレームを回転させて、任意の位置で固定することによって、可動フレームと連結した駆動バネのトラフに対する傾斜角度、すなわち振動角を容易にかつ連続的に調整することができる。そして、振動体を起振させれば、可動フレームと固定フレームとは、調整した振動角で互いに振動することとなり、可動フレームと連結部材を介して接続されたトラフを振動させて、調整した振動角に応じた搬送速度で被搬送体を搬送することができる。
【０００８】
また、上記のリニアフィーダにおいて、前記角度調整手段は、前記被連結部に対して前記連結部材を回動可能に支持する第一の軸体と、前記連結部材または前記被連結部に設けられ、前記第一の軸体を中心とする円弧状に形成された少なくとも一つの第一の長孔と、  該第一の長孔に挿通されて、前記連結部材と前記被連結部とを固定、解除自在な第一の固定部材とを有することがより好ましい。
【０００９】
この発明に係るリニアフィーダによれば、連結部材は、第一の長孔に挿通された第一の固定部材による固定を解除することで、被連結部に対して第一の軸体回りに回動することができ、これにより、振動角を調整することができる。この際、第一の長孔が第一の軸体を中心とする円弧状に形成されていることで、連結部材の回動に伴って、第一の固定部材は、第一の長孔の内部を相対移動することとなる。このため、連結部材を回動させることができるとともに、第一の固定部材によって、任意の位置で連結部材と被連結部とを再び固定した状態にすることができる。
【００１０】
また、上記のリニアフィーダにおいて、前記防振バネは、前記ベースに対して前記固定フレームまたは前記可動フレームを支持しており、前記角度調整手段は、前記可動フレームに対して前記連結部材を回動させることが可能であるとともに、前記ベースは、床面上に固定されるベース本体と、前記防振バネが固定された支持部と、前記ベース本体に対して前記支持部を、前記角度調整手段の回動中心と略平行な軸回りに回動させて任意の位置で固定することが可能なベース調整手段とを有することがより好ましい。
【００１１】
この発明に係るリニアフィーダによれば、ベース調整手段によって、ベース本体に対して支持部を回動させることで、ベースに防振バネを介して支持された可動フレーム、固定フレーム、駆動バネ及びトラフを一体として回動させることができ、これらの傾斜角度を容易にかつ連続的に調整することができる。このため、ベース調整手段及び角度調整手段によって、トラフに対する駆動バネの傾斜角度を調整するとともに、トラフを水平となるように容易かつ正確に調整することができる。
【００１２】
さらに、上記のリニアフィーダにおいて、前記ベースの前記ベース調整手段は、前記ベース本体に対して前記支持部を回動可能に支持する第二の軸体と、前記ベース本体または前記支持部に設けられ、前記第二の軸体を中心とする円弧状に形成された少なくとも一つの第二の長孔と、該第二の長孔に挿通されて、前記前記ベース本体と前記支持部とを固定、解除自在な第二の固定部材とを有することができる。
【００１３】
この発明に係るリニアフィーダによれば、支持部は、第二の長孔に挿通された第二の固定部材による固定を解除することで、ベース本体に対して第二の軸体回りに回動することができ、これにより、可動フレーム、固定フレーム、駆動バネ及びトラフの全体の傾斜角度を調整することができる。この際、第二の長孔が第二の軸体を中心とする円弧状に形成されていることで、連結部材の回動に伴って、第二の固定部材は、第二の長孔の内部を相対移動することとなる。このため、支持部を回動させることができるとともに、第二の固定部材によって、任意の位置で支持部とベース本体とを再び固定した状態にすることができる。
【００１４】
また、上記のリニアフィーダにおいて、前記防振バネは、前記ベースに対して前記トラフを支持しており、前記角度調整手段は、前記トラフに対して前記連結部材を回動させることが可能であることがより好ましい。
【００１５】
この発明に係るリニアフィーダによれば、トラフに対して連結部材を回動させることで、トラフを水平な状態に保ちつつ、振動角を調整することができる。
【発明の効果】
【００１６】
本発明のリニアフィーダによれば、角度調整手段を備えることで、駆動バネによる振動角を容易かつ連続的に調整することができ、トラフ上の被搬送体を最適な搬送条件で搬送することができる。
【発明を実施するための最良の形態】
【００１７】
（第１の実施形態）
図１から図４は、この発明に係る実施形態を示している。
図１に示すように、リニアフィーダ１は、床面Ｆ上に固定されるベース２と、ベース２の上方に配設された可動フレーム３と、可動フレーム３の上方に配設された固定フレーム４と、固定フレーム４の上方で被搬送体Ｗを搬送する搬送方向Ｗ１に沿うように配設されたトラフ５とを備える。固定フレーム４は、板バネである一対の防振バネ６、６によってベース２に対して支持されている。防振バネ６は、下端において締結ボルト２ａによってベース２に固定されているとともに、上端において締結ボルト４ａによって固定フレーム４の各側面４ｂに固定されている。ここで、一対の防振バネ６、６は、搬送方向Ｗ１に傾斜して互いに略平行となるように、ベース２及び固定フレーム４に固定されている。
【００１８】
また、可動フレーム３と固定フレーム４とは、板バネである一対の駆動バネ７、７によって連結されている。一対の駆動バネ７、７は、下端において締結ボルト３ａによって可動フレーム３の各側面３ｂに固定されているとともに、上端において締結ボルト４ａによって防振バネ６、６とともに固定フレーム４の各側面４ｂに固定されている。ここで、一対の駆動バネ７、７は、防振バネ６、６と略平行となるように搬送方向Ｗ１に傾斜して、可動フレーム３及び固定フレーム４に固定されている。なお、図示しないが防振バネ６、６は中間部分が切欠かれていて、これにより駆動バネ７、７は、防振バネ６、６と干渉せずに、可動フレーム３に固定されている。
【００１９】
また、駆動バネ７、７によって連結された可動フレーム３と固定フレーム４との間には、互いを振動させる振動体８が設けられている。振動体８は、略Ｌ字状の部材で一辺が可動フレーム３に固定されているとともに、他辺が固定フレーム４に固定された弾性変形可能な一対の弾性部材８ａと、弾性部材８ａの他辺両側に配設された圧電素子８ｂ、８ｃとを有する。圧電素子８ｂ、８ｃは、より具体的には、圧電セラミックスを分極処理し、弾性部材８ａの一方側にプラス極性の分極電位を持たせた一方の圧電素子８ｂが貼り付けられているとともに、他方側にマイナス極性の分極電位を持たせた他方の圧電素子８ｃが貼り付けられているものである。これにより弾性部材８ａの両側に圧電素子８ｂ、８ｃによるバイモルフ構造が形成され、圧電素子８ｂ、８ｃに電荷を付与することにより振動が生じ、可動フレーム３と固定フレーム４とを相対的に振動させることが可能となっている。
【００２０】
また、トラフ５は、連結板（連結部材）１０によって、固定フレーム４の上方において可動フレーム３と連結されている。このため、トラフ５は、振動体８による振動により可動フレーム３と同期して振動することが可能である。ここで、連結板１０は、締結ボルト１０ａによってトラフ５と固定されているとともに、第一の軸体１１によって可動フレーム３に対して搬送方向Ｗ１と略平行な面内で回動可能に支持されている。連結板１０の搬送方向Ｗ１両側には一対の第一の長孔１２、１２が形成されている。第一の長孔１２、１２は、第一の軸体１１を中心とする円弧状に形成されている。そして、連結板１０は、一対の第一の長孔１２、１２に挿通されて、可動フレーム３に形成されたネジ孔に螺合された第一の固定ボルト（第一の固定部材）１３、１３によって締め付けられることで、可動フレーム３に固定されている。一方、第一の固定ボルト１３、１３を緩めることで、可動フレーム３に対して連結板１０が回動可能となる。このため、連結板１０とともにトラフ５を回動させた後に第一の固定ボルト１３を再度締め付けることで、トラフ５の上面５ａの垂直線に対する駆動バネの傾斜角である振動角θを調整することが可能であり、すなわち、第一の軸体１１と、第一の長孔１２と、第一の固定ボルト１３とによって角度調整手段１４が構成されている。
【００２１】
また、ベース２は、床面Ｆに固定されるベース本体１５と、ベース本体１５に回動可能に支持された支持部１６とを有し、防振バネ６、６は、支持部１６に固定されている。図２に示すように、ベース本体１５は、搬送方向Ｗ１に沿って延設されていて、底部１５ａ及び両側部１５ｂ、１５ｂとを有する断面コの字状に形成されている。ベース本体１５の底部１５ａの両端には切欠き１５ｃが設けられていて、切欠き１５ｃに挿通された取付ボルト１５ｄを、床面Ｆに予め形成されたネジ孔Ｆ１に螺合し締め付けることで、ベース本体１５は床面Ｆに固定されている。また、支持部１６は、ベース本体１５の両側部１５ｂ、１５ｂ間に介挿されていて、第一の軸体１１と略平行に配設された第二の軸体１７によって両側部１５ｂに対して回動可能に支持されている。ここで、ベース本体１５の一方の側部１５ｂには、搬送方向Ｗ１両側に一対の第二の長孔１８、１８が設けられている。一対の第二の長孔１８、１８は、第二の軸体１７を中心とする円弧状に形成されている。そして、支持部１６は、一対の第二の長孔１８、１８にそれぞれ挿通されて、支持部１６に形成されたネジ孔に螺合された第二の固定ボルト（第二の固定部材）１９、１９によって締め付けられることで、ベース本体１５に対して固定されている。一方、第二の固定ボルト１９、１９を緩めることで、ベース本体１５に対して支持部１６が回動可能となる。このため、ベース本体１５に対して支持部１６を回動させた後に第一の固定ボルト１３を再度締め付けることで、任意の位置で固定し、所望の角度とすることが可能であり、すなわち、第二の軸体１７と、第二の長孔１８、１８と、第二の固定ボルト１９、１９とでベース調整手段２０が構成されている。
【００２２】
次に、この実施形態のリニアフィーダ１の作用について説明する。図１に示すように、リニアフィーダ１を床面Ｆに固定した状態で、略水平に設定されたトラフ５の上面５ａに被搬送体Ｗを載置する。この状態で、振動体８を起振させることで、可動フレーム３と固定フレーム４とは振動することとなる。ここで、可動フレーム３と固定フレーム４とは、互いを連結する駆動バネ７、７が搬送方向Ｗ１に傾斜しているため、振動角θに応じて、搬送方向成分とともに搬送方向Ｗ１と垂直な垂直方向成分を有して振動することとなる。そして、この振動が連結板１０を介してトラフ５へ、トラフ５から被搬送体Ｗに伝達されることで、被搬送体Ｗは、トラフ５の上面５ａ上を搬送されることとなる。この際、固定フレーム４の重心位置は、固定フレーム４の略中央付近に存在する。また、可動フレーム３の重心と、可動フレーム３と一体となって振動する連結板１０の重心及びトラフ５の重心とを合成した重心位置は、可動フレーム３とトラフ５とが固定フレーム４を跨るようにして一体となっていることで、固定フレーム４の重心位置近傍となる。このため、両者の振動は打ち消されることとなり、防振バネ６による作用と相まってベース２及び床面Ｆに伝達される振動を効果的に減衰させることができる。
【００２３】
また、駆動バネ７の振動角θを調整する場合には、以下の手順で行う。まず、振動角θを小さくする場合について説明する。すなわち、図３に示すように、ベース調整手段２０の第二の固定ボルト１９を緩めて固定を解除し、ベース本体１５に対して支持部１６を第二の軸体１７回りで左回りに回動させる。この際、第二の長孔１８が第二の軸体１７を中心とする円弧状に形成されていることで、支持部１６が回動するのに伴って、第二の固定ボルト１９も第二の長孔１８に沿って移動することとなる。また、ベース２の支持部１６に防振バネ６を介して支持された固定フレーム４、駆動バネ７、可動フレーム３、連結板１０、及び、トラフ５は、一体となって全体として回動することとなる。そして、駆動バネ７が、鉛直線に対して所望の振動角θと略等しい角度だけ傾斜したところで第二の固定ボルト１９を締め付ける。これにより、ベース本体１５に対して支持部１６が固定された状態となり、また、駆動バネ６は、鉛直線に対して振動角θと略等しい角度だけ傾斜した状態となる。
【００２４】
次に、角度調整手段１４の第一の固定ボルト１３を緩めて固定を解除し、可動フレーム３に対して連結板１０を第一の軸体１１回りで右回りに回動させる。この際、第一の長孔１２が第一の軸体１１を中心とする円弧状に形成されていることで、連結板１０が回動するのに伴って第一の固定ボルト１３も第二の長孔１２に沿って移動することとなる。また、連結板１０に固定されたトラフ５も回動することとなる。そして、トラフ５の上面５ａが略水平となるところで第一の固定ボルト１３を締め付けることで、連結板１０は、可動フレーム３に対して固定される。これにより、連結板１０に固定されたトラフ５は上面５ａが略水平な状態に設定されるとともに、駆動バネ６は、トラフ５の上面５ａに対して所望の振動角θとなるように設定することができる。
【００２５】
一方、図５に示すように、振動角θを大きくする場合には、ベース調整手段２０によってベース本体１５に対して支持部１６を右回りに回動させて調整し、さらに、角度調整手段１４によって可動フレーム３に対して連結板１０を左回りに回動させて調整することで、トラフ５の上面５ａを略水平な状態に設定しつつ、駆動バネ７を所望の振動角θに調整することができる。なお、上記においては、いずれもベース調整手段２０によってベース本体１５に対して支持部１６の第二の軸体１７回りの回転角度を調整した後に、角度調整手段１４によって可動フレーム３に対して連結板１０の第一の軸体１１回りの回転角度を調整したが、これに限るものでは無い。すなわち、角度調整手段１４によって可動フレーム３に対して連結板１０の回転角度を調整して、トラフ５に対する駆動バネ７の振動角θを所望の角度となるように設定する。次に、ベース調整手段２０によってベース本体１５に対して支持部１６の回転角度を調整することで、設定した振動角θを保持しつつトラフ５の上面５ａが水平となるように調整するものとしても良い。
【００２６】
以上のように、本実施形態のリニアフィーダ１によれば、角度調整手段１４によって可動フレーム３に対して連結板１０を回動させ、また、任意の位置で固定して所望の角度とすることができるので、駆動バネ７の振動角θを、容易に、かつ、連続的に調整することができる。そして、振動角θを調整することで、トラフ５上の被搬送体Ｗを最適な搬送条件で搬送することができる。また、さらにベース調整手段２０を備えることで、トラフ５に対する駆動バネ７の振動角θを調整しつつ、トラフ５の上面５ａの水平調整を、容易かつ正確に行うことができる。
【００２７】
なお、本実施形態では、駆動バネ７は、一方側（紙面右側）に傾斜し、被搬送体Ｗの搬送方向Ｗ１は他方（紙面左方）として説明したが、これに限るものでは無く、角度調整手段１４によって振動角θを正負両方に設定可能とすることで、搬送方向Ｗ１も正反切り替えることが可能である。また、連結板１０に対して被連結部であるトラフ５及び可動フレーム３のそれぞれは、トラフ５が固定された状態であるとともに、可動フレーム３が角度調整手段１４によって回動可能な状態であるものとしたが、これに限るものでは無い。すなわち、可動フレーム３が固定された状態であるとともに、トラフ５が角度調整手段１４によって回動可能な状態であるものとしても良い。また、角度調整手段１４において、第一の長孔１２が連結板１０に設けられ、第一の固定ボルト１３によって連結板１０と被連結部である可動フレーム３とを固定することが可能であるものとしたが、これに限るものでは無く、被連結部側に第一の長孔を設けて第一の固定ボルトによって固定するものとしても良い。また、第一の長孔１２と第一の固定ボルト１３とは、二組設けられているものとしたが、これに限るものでは無く、少なくとも一組設けられていれば良く、また、三組以上としても良い。なお、これらは、ベース調整手段２０においても同様であり、ベース２において支持部１６に第二の長孔が設けられていても良く、また、第二の長孔と第二の固定ボルトとの組み合わせは、少なくとも一組設けられていれば良い。
【００２８】
また、防振バネ６は、ベース２に対して固定フレーム４を支持しているものとしたが、これに限るものでは無く、可動フレーム３を支持するものとしても良い。また、本実施形態では、振動体８は、圧電素子８ｂ、８ｃによって振動可能な構成としたが、これに限るものでは無く、様々な起振手段が適用可能であり、例えば電磁石を利用した構成としても良い。
【００２９】
（第２の実施形態）
次に、本発明の第２の実施形態について説明する。図５は、本発明の第２の実施形態を示したものである。この実施形態において、前述した実施形態で用いた部材と共通の部材には同一の符号を付して、その説明を省略する。
【００３０】
図５に示すように、この実施形態のリニアフィーダ３０は、ベース３１の上方において、駆動バネ７によって可動フレーム３と固定フレーム４とが連結されているとともに、可動フレーム３と固定フレーム４の上方に配設されたトラフ５とは、連結板（連結部材）３２によって連結されている。なお、図示しないが、可動フレーム３と固定フレーム４との間には、第１の実施形態同様に振動体が設けられている。そして、トラフ５の両端部とベース３１との間には、例えばコイルバネや空気バネなどである防振バネ３３が介挿されていて、これによりトラフ５、連結板３２、可動フレーム３、駆動バネ７、及び、固定フレーム４はベース３１に対して支持されている。
【００３１】
連結板３２は、締結ボルト３４によって可動フレーム３と固定されているとともに、第一の軸体３５によってトラフ５に対して搬送方向Ｗ１と略平行な面内で回動可能に支持されている。また、連結板３２の搬送方向Ｗ１両側には一対の第一の長孔３６、３６が形成されている。第一の長孔３６、３６は、第一の軸体３５を中心とする円弧状に形成されている。そして、連結板１０は、一対の第一の長孔３６、３６に挿通されて、トラフ５に形成されたネジ孔に螺合された第一の固定ボルト（第一の固定部材）３７、３７によって締め付けられることで、トラフ５に固定されている。一方、第一の固定ボルト３７、３７を緩めることで、トラフ５に対して連結板３２が回動可能となり、連結板３２とともに可動フレーム３、駆動バネ７、及び、固定フレーム４を一体的に回動させることが可能となる。そして、第一の固定ボルト３７を再度締め付けることで、トラフ５に対する駆動バネ７の振動角θを調整することが可能であり、すなわち、第一の軸体３５と、第一の長孔３６と、第一の固定ボルト３７とによって角度調整手段３８を構成している。
【００３２】
この実施形態のリニアフィーダ３０によれば、第１の実施形態同様に、角度調整手段３８によって連結板３２を回動させることで、駆動バネ７の振動角θを調整することができる。ここで、本実施形態では、トラフ５が防振バネ３３によってベース３１に直接支持され、また、連結板３２がトラフ５に対して回動可能であるので、トラフ５の上面５ａを水平な状態に保ちつつ、駆動バネ７の振動角θを調整することができる。
【００３３】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３４】
【図１】この発明の第１の実施形態のリニアフィーダの正面図である。
【図２】この発明の第１の実施形態のリニアフィーダにおいて、ベースの詳細を示した側面図である。
【図３】この発明の第１の実施形態のリニアフィーダにおいて、振動角を調整する説明図である。
【図４】この発明の第１の実施形態のリニアフィーダにおいて、振動角を調整する説明図である。
【図５】この発明の第２の実施形態のリニアフィーダの正面図である。
【符号の説明】
【００３５】
１、３０  リニアフィーダ
２、３１  ベース
３  可動フレーム
４  固定フレーム
５  トラフ
５ａ  上面
６、３３  防振バネ
７  駆動バネ
８  振動体
１０、３２  連結板（連結部材）
１１、３５  第一の軸体
１２、３６  第一の長孔
１３、３７  第一の固定ボルト（第一の固定部材）
１４、３８  角度調整手段
１５  ベース本体
１６  支持部
１７  第二の軸体
１８  第二の長孔
１９  第二の固定ボルト（第二の固定部材）
２０  ベース調整手段
Ｆ  床面
Ｗ  被搬送体
Ｗ１  搬送方向
【図１】
0005070651.tif 000002
【図２】
0005070651.tif 000003
【図３】
0005070651.tif 000004
【図４】
0005070651.tif 000005
【図５】
0005070651.tif 000006